(57)【要約】【課題】  ブラインドタッチを容易に行なうことが可能な携帯情報端末を提供する。【解決手段】  複数のキーを含む操作部２を有する携帯電話機１において、当該携帯電話機１は操作部２の中央部に配置された５キー２１と、５キー２１を取り囲むように５キー２１に隣接して配置された複数の周囲テンキー２２とを備えている。さらに、携帯電話機１は５キー２１から周囲テンキー２２に至る放射状の第１の案内溝２６を有している。【選択図】        図１
2006245898.tif 000002
【特許請求の範囲】
【請求項１】
複数のキーを含む操作部を有する携帯情報端末であって、
前記操作部の中央部に配置された中央キーと、
前記中央キーを取り囲むように前記中央キーに隣接して配置された複数の周囲キーとを備え、
前記中央キーから前記周囲キーに至る放射状の第１の案内部を有する、携帯情報端末。
【請求項２】
前記中央キーを取り囲む第２の案内部を有し、
前記第２の案内部は前記第１の案内部と繋がっている、請求項１に記載の携帯情報端末。
【請求項３】
前記操作部の入力モードを切り替えるためのシフトスイッチをさらに備え、
前記シフトスイッチにより切り替えられた第１の入力モードでは前記中央キーおよび前記周囲キーの少なくとも１つは数字を入力するためのテンキーとして機能し、
前記シフトスイッチにより切り替えられた第２の入力モードでは、前記中央キーおよび前記周囲キーのうち少なくとも１つは特定の機能を実現するためのファンクションキーとして機能する、請求項１または２に記載の携帯情報端末。
【請求項４】
前記中央キーの上下左右に位置する前記周囲キーの各々は、上下左右に位置する前記周囲キーの各々を一体化した十字キーにより構成されている、請求項１〜３のいずれかに記載の携帯情報端末。
【請求項５】
数字、文字、記号を含む画像を表示するための表示部をさらに備え、
前記シフトスイッチによる入力モードの切り替えにより、前記十字キーは前記表示部に表示された前記画像を上下左右に移動させるための４方向キーとして機能する、請求項４に記載の携帯情報端末。
【請求項６】
前記周囲キーの表面は前記中央キー側に向けて厚みが変化するように表面に傾斜を有する、請求項１〜５のいずれかに記載の携帯情報端末。
【請求項７】
前記操作部の少なくとも一部がテンキーを有するテンキー部として機能する場合、
前記中央キーは数字の５を入力するためのキーであり、
前記周囲キーは数字の１、２、３、４、６、７、８、９または０を入力するためのキーを含んでいる、請求項１〜６のいずれかに記載の携帯情報端末。
【発明の詳細な説明】
【技術分野】
【０００１】
本発明は携帯情報端末に関し、より特定的には複数のキーを含む操作部を有する携帯情報端末に関する。
【背景技術】
【０００２】
近年、携帯情報端末の有する機能は増加し、たとえば携帯電話機では電話機能に加えてカメラ機能、ＷＥＢ操作機能、辞書機能等を有するものもある。このような状況のもと、携帯情報端末の操作は複雑化しており、これに伴い文字、記号等を入力するためのキーの数も増加する傾向にある。
【０００３】
一方、携帯情報端末の操作者が携帯情報端末に対して迅速かつ容易な入力を行なうためには、キーを視覚的に確認することなく指の感覚でキーを認識して打鍵するブラインドタッチが有効である。上述のようにキーの数が増加する状況の中で、ブラインドタッチを容易にする操作部を有する携帯情報端末が求められている。
【０００４】
図１６は従来の携帯電話機の構成の一例を示す概略平面図である。図１６を参照して、従来の携帯電話機９０は、情報を表示するための表示部９１と、電源の入／切、メール機能の呼出し、マナーモードの設定／解除等の特定の機能を実現するためのファンクションキーを有するファンクションキー部９２と、主に数字を入力するためのテンキーを有するテンキー部９３とを備えている。また、ファンクションキー部９２には前述の機能のほか、表示部に表示された画像の移動などの機能を有する４方向キー９４が配置される場合もある。テンキー部９３にはテンキーが４行３列に配置されている。数字の５を入力するための５キーには突起９５が形成されている。操作者は、この突起９５に指で触れることにより５キーの位置を認識する。さらにこの５キーの位置を基準として他のキーの位置を推測することが可能であるため、操作に慣れた操作者であればブラインドタッチが可能となる。
【０００５】
これに対し、さらにブラインドタッチを容易にするためのキーの形状が検討されている。たとえば、図１７および図１８に示すように携帯電話機９０のテンキー部９３に配置されたキーに行ごと、または列ごとに異なった凹凸形状を付与することが提案されている。これにより、各行または列の断面形状を記憶しておくことでブラインドタッチが容易になる。（たとえば特許文献１参照）。また、図１９〜図２１に示すように、携帯電話機９０のテンキー部９３に配置された各テンキーごとに異なった位置に突起９５を形成することが提案されている。さらに、各テンキーごとに異なった外形を付与することが提案されている。これにより、指の感覚で各テンキーの突起の位置や外形を認識することで、ブラインドタッチが容易になる（たとえば特許文献２参照）。
【特許文献１】特開２００３−１６３７３１号公報
【特許文献２】特開平８−１９５７９８号公報
【発明の開示】
【発明が解決しようとする課題】
【０００６】
しかし、図１６に示した従来の携帯電話機の構成では、操作者は５キーの位置を指の感覚で探す必要がある。さらに、５キー以外のキーについては５キーの位置を基準にして推測しつつ打鍵する必要がある。従って、かなり操作に慣れた操作者でなければブラインドタッチは困難である。また、図１７および図１８に示した携帯電話機の構成では、指の感覚により、テンキーの行または列が認識可能であるが、具体的にキーを特定することができない。さらに行および列の両方に異なった凹凸を形成すればキーの特定が可能であるが、その場合キーの表面形状が複雑になる。そのため、キーの複雑な表面形状を記憶し、かつ指の感覚でそれを認識する必要が生じる。従って、図１７および図１８に示した携帯電話機の構成でも、ブラインドタッチが十分容易になったとはいえない。また、図１９および図２０に示した携帯電話機の構成では、各キー上面における突起の位置を正確に把握する必要がある。また、図１９および図２１に示した携帯電話機の構成では、各キーの形状を記憶した上で、各キーの表面全体を指の感覚で認識し、どの部分が欠けているのかを正確に把握する必要がある。そのため、ブラインドタッチが十分容易になったとはいえない。
【０００７】
そこで本発明の目的は、ブラインドタッチを容易に行なうことが可能な携帯情報端末を提供することである。
【課題を解決するための手段】
【０００８】
本発明に従った携帯情報端末は、複数のキーを含む操作部を有する携帯情報端末である。この携帯情報端末は、操作部の中央部に配置された中央キーと、中央キーを取り囲むように中央キーに隣接して配置された複数の周囲キーとを備えている。さらに、中央キーから周囲キーに至る放射状の第１の案内部を有している。
【０００９】
本発明の携帯情報端末によれば、中央キーから周囲キーに至る放射状の第１の案内部を有することにより、視覚により確認することなく指を中央キーおよび周囲キーに案内することができる。その結果、ブラインドタッチが容易になる。
【００１０】
上記携帯情報端末において好ましくは、中央キーを取り囲む第２の案内部を有し、かつ第２の案内部は第１の案内部と繋がっている。
【００１１】
第２の案内部を有することにより、指の感覚により中央キーを確認することが容易になる。さらに、第２の案内部が第１の案内部と繋がっていることにより、スムーズに指を中央キーから各周囲キーに案内することができる。
【００１２】
上記携帯情報端末において好ましくは、操作部の入力モードを切り替えるためのシフトスイッチをさらに備えている。シフトスイッチにより切り替えられた第１の入力モードでは中央キーおよび周囲キーの少なくとも１つは数字を入力するためのテンキーとして機能する。さらに、シフトスイッチにより切り替えられた第２の入力モードでは、中央キーおよび周囲キーのうち少なくとも１つは特定の機能を実現するためのファンクションキーとして機能する。
【００１３】
携帯情報端末においては、数字を入力する必要がある場合が多く、テンキーが設けられる場合が多い。一方、携帯情報端末の種々の機能を実現するためにはファンクションキーも必要である。テンキーとファンクションキーとをシフトスイッチにより切り替えて使用することにより、キーの数を増やすことなく多機能な携帯情報端末を構成することが可能となる。その結果、携帯情報端末におけるキーを配置するために必要なスペースを小さくすることが可能となり、携帯情報端末を小型化することができる。また、各キーを大きくすることが可能となり、キーを押し易くすることができる。
【００１４】
上記携帯情報端末において好ましくは、中央キーの上下左右に位置する周囲キーの各々は、上下左右に位置する周囲キーの各々を一体化した十字キーにより構成されている。
【００１５】
これにより、大きさおよび形状が他のキーと大きく異なるキーの存在により、ブラインドタッチが一層容易になる。さらに、部品点数を減少させるとともに携帯情報端末の組み立てが容易となり、携帯情報端末の製造コストを低減することが可能となる。
【００１６】
上記携帯情報端末において好ましくは、数字、文字、記号を含む画像を表示するための表示部をさらに備えている。シフトスイッチによる入力モードの切り替えにより、十字キーは表示部に表示された画像を上下左右に移動させるための４方向キーとして機能する。
【００１７】
携帯情報端末では、カーソルの移動や画面のスクロールのように、表示部において画像を上下左右に移動させる必要がある場合が多い。前述の十字キーをこのような機能を有する４方向キーとして使用可能とすることにより、キーの数を増やすことなく、このような機能を備えた携帯情報端末を提供することができる。
【００１８】
上記携帯情報端末において好ましくは、周囲キーの表面は中央キー側に向けて厚みが変化するように表面に傾斜を有している。
【００１９】
これにより、案内部と傾斜との組み合わせに基づいて、中央キーの位置の把握および指に触れた周囲キーがどのキーであるかの把握が一層容易となる。その結果、ブラインドタッチがさらに容易となる。
【００２０】
上記携帯情報端末において好ましくは、操作部の少なくとも一部がテンキーを有するテンキー部として機能する場合、中央キーは数字の５を入力するためのキーであり、周囲キーは数字の１、２、３、４、６、７、８、９または０を入力するためのキーを含んでいる。
【００２１】
一般にテンキー部は中央に数字の５を入力するためのキーが配置され、数字の１、２、３、４、６、７、８、９または０がこれを取り囲むように配置される場合が多い。従って、同様にキーを配置することにより、キーの配置を改めて記憶することなく、各キーの位置を把握できる。その結果、ブラインドタッチがさらに容易になる。
【発明の効果】
【００２２】
以上の説明から明らかなように、本発明の携帯情報端末によれば、ブラインドタッチを容易に行なうことが可能な携帯情報端末を提供することができる。
【発明を実施するための最良の形態】
【００２３】
以下、図面に基づいて本発明の実施の形態を説明する。なお、以下の図面において同一または相当する部分には同一の参照番号を付しその説明は繰返さない。
【００２４】
（実施の形態１）
図１は本発明の一実施の形態である実施の形態１の携帯情報端末としての携帯電話機を示す概略斜視図である。また、図２は実施の形態１の携帯電話機を示す概略平面図（正面図）である。また、図３は実施の形態１の携帯電話機を示す概略平面図（側面図）である。図４は図２のＩＶ−ＩＶ線に沿う概略断面図である。図５は図２のＶ−Ｖ線に沿う概略断面図である。図１〜図５を参照して、本発明の実施の形態１の携帯電話機の構成を説明する。
【００２５】
図１を参照して、実施の形態１の携帯電話機１は、操作部２と、表示部３とを備えている。また、図２を参照して、操作部２は主に数字を入力するためのテンキーを有するテンキー部２Ａと、特定の機能を実現するためのファンクションキーを有するファンクションキー部２Ｂを含んでいる。図１〜図５を参照して、操作部２の中央部には中央キーとしての数字の５を入力するための５キー２１が配置されている。この５キー２１を取り囲むように５キー２１に隣接して周囲キーとしての数字の１、２、３、４、６、７、８、９を入力するための周囲テンキー２２が配置されている。このテンキー部２Ａにおけるテンキーの配列は一般に採用されている標準テンキー配列である。そして、第１の案内部としての第１の案内溝２６が、５キー２１から周囲テンキー２２に至るように放射状に形成されている。さらに、第２の案内部としての第２の案内溝２７が５キー２１を取り囲むように形成されている。また、この第２の案内溝２７は第１の案内溝２６と繋がっている。
【００２６】
図６は、５キー２１の上下左右に位置する周囲テンキー２２のうち数字の２、４、６、８を入力するためのキーの構成を示す図である。図６を参照して、５キーの上下左右に位置する周囲テンキー２２のうち数字の２、４、６、８を入力するためのキーは、これらを一体化した十字キーとしての十字テンキー２３により構成されている。
【００２７】
次に、実施の形態１の携帯電話機１におけるブラインドタッチについて説明する。図１を参照して、操作部２の上に指を置いた操作者は指の感覚により第１の案内溝２６および第２の案内溝２７を認識する。そして、第１の案内溝２６および第２の案内溝２７に案内されて、容易に５キー２１の位置を確認することができる。次に、所望のキーを打鍵しようとする場合、操作者が記憶しているキーの配列からおよその方向に指を滑らせる。このとき、第１の案内溝２６および第２の案内溝２７に案内されて、所望のキーに確実に到達し、打鍵することができる。ここで、テンキー部２Ａは標準テンキー配列を有するため、操作者は改めてキー配列を記憶することなく、所望のキーに指を到達させるためのおよその方向を認識することができる。これを繰返すことで、携帯電話機１の操作に慣れた操作者でなくてもブラインドタッチを容易に行なうことができる。
【００２８】
また、前述のように案内溝は第２の案内溝２７が５キー２１を取り囲むように形成されたうえで、第１の案内溝２６がそこから放射状に形成されるという単純な構成を有している。そのため、これを記憶するために大きな労力を必要とせず、直感的に把握することが可能である。特に、上述の標準テンキー配列と組み合わせることで、直感的な操作が可能となっている。また、５キーを経由しなくても、周囲キーにおいて第１の案内溝２６の形成されている方向を指の感覚で把握することにより、操作者は指がどのキーに触れているのかを認識することができる。以上のように、本実施の形態１の携帯電話機１によれば、携帯電話機１の操作に慣れた操作者でなくてもブラインドタッチを容易に行なうことができる。
【００２９】
なお、第１の案内溝２６の一部または全部は、図１および図２に示すように、５キー２１から周囲テンキー２２を通って、周囲テンキー２２から見て５キー２１と反対側に隣接するキーに至るように形成されてもよい。これにより、５キー２１および周囲テンキー２２のみならず、さらに外周に位置するキーを打鍵する場合においても、容易にブラインドタッチを行なうことができる。また、第１の案内溝２６は少なくとも５キー２１から見て方向の異なった２つの周囲テンキー２２に向かうものが形成されれば本発明の効果を奏するが、数字の２、４、６、８を入力するための周囲テンキー２２に向かう４本または１、３、７、９を入力するための周囲テンキー２２に向かう４本が形成されていることが好ましい。また、すべての周囲テンキー２２に向かう８本が形成されていることがさらに好ましい。
【００３０】
（実施の形態２）
図７は実施の形態２の携帯情報端末としての携帯電話機を示す概略斜視図である。また、図８は実施の形態２の携帯電話機を示す概略平面図（正面図）である。また、図９は実施の形態２の携帯電話機の使用状態の一例を示す図である。また、図１０は実施の形態２の携帯電話機の使用状態の他の一例を示す図である。図７〜図１０を参照して、実施の形態２の携帯電話機の構成を説明する。
【００３１】
図７および図８を参照して、実施の形態２の携帯電話機１は基本的には図１〜５に示した実施の形態１の携帯電話機１と同様の構成を有している。しかし、実施の形態２の携帯電話機１は、操作部２の入力モードを切り替えるためのシフトスイッチ４を備えている点で実施の形態１の携帯電話機１とは異なっている。また、操作部２に配置された各キーの表面には、シフトスイッチ４により切り替えられる第１の入力モードにおける各キーの機能を示す表示が配置されており、かつシフトスイッチ４により切り替えられる第２の入力モードにおける機能を示すシフト表示２４も配置されている。
【００３２】
ここで、入力操作は親指により行なわれることが多いため、シフトスイッチ４は図９に示すように親指以外の指で押えることが可能な位置に配置されている。または、図１０に示すように掌の甲で押えることが可能な位置に配置されてもよい。具体的には携帯電話機１の筐体の側面に配置されている。さらに、シフトスイッチ４の操作を容易にする観点から、シフトスイッチ４は操作部２と表示部３とを結ぶ軸から見て左右の側面のうちいずれか一方に配置されることが好ましく、より好ましくは操作部２の側面、とくにテンキー部２Ａの側面に配置される。
【００３３】
さらに、十字テンキー２３はシフトスイッチ４による入力モードの切り替えにより、表示部３に表示された画像を上下左右に移動させるためのファンクションキーである４方向キーとして機能する。具体的には、十字テンキー２３の上下左右の各部分を押えることにより、カーソルなどを上下左右に移動させることができる。さらに、十字テンキー２３の上下左右の各部分を押えることにより、画像を上下左右にスクロールさせることができてもよい。また、４方向キーとして機能する十字テンキー２３を操作することにより、表示部３に表示された所定の機能を表す画像を選択することを可能とし、さらに５キーをシフトスイッチ４による切り替えにより、選択された機能を実行させるためのファンクションキーである実行キーとして機能させてもよい。
【００３４】
次に、実施の形態２の携帯電話機１の操作について説明する。操作部２に配置された各キーのブラインドタッチについては実施の形態１の場合と同様である。シフトスイッチ４の操作については、たとえば図９に示すように左手で携帯電話機１を保持し、左手の中指または薬指でシフトスイッチ４を操作することができる。また、図１０に示すように右手で携帯電話機１を保持し、右手の掌の甲でシフトスイッチ４を操作してもよい。またシフトスイッチ４が操作部２をはさんで図９および図１０の場合とは反対側の側面に配置されている場合、右手および左手での操作を図９および図１０とは逆にすることにより、シフトスイッチ４を操作することができる。このように操作することで、指または掌の感覚でシフトスイッチ４の位置を把握し、シフトスイッチ４の操作を含めてブラインドタッチを容易に行なうことができる。
【００３５】
なお、シフトスイッチ４は操作されている間のみ、入力モードが切り替わるように構成されてもよいし、操作するたびに入力モードが切り替わるように構成されてもよい。さらに、シフトスイッチ４により切り替えられる入力モードは第１の入力モードと第２の入力モードとの２つに限られず、たとえば第１の入力モードから第３の入力モードまでの３つの入力モードを切り替えられてもよい。さらに、４つ以上の入力モードを切り替えることが可能なように構成されてもよい。この場合、シフトスイッチ４を操作するたびに入力モードが順次切り替わるように構成することができる。
【００３６】
また、中央キーとしての５キー２１を取り囲む８個の周囲テンキー２２のすべてを一体化したキーを５キー２１の周囲を取り囲むように配置してもよい。この場合、当該キーはシフトスイッチ４による入力モードの切り替えにより、表示部３に表示された画像を上下左右のほか斜め方向にも移動させることが可能なファンクションキーである８方向キーとして機能させることもできる。
【００３７】
（実施の形態３）
図１１は本発明の一実施の形態である実施の形態３の携帯情報端末としての携帯電話機を示す概略斜視図である。また、図１２は実施の形態３の携帯電話機を示す概略平面図（正面図）である。また、図１３は実施の形態３の携帯電話機を示す概略平面図（側面図）である。図１４は図１２のＸＩＶ−ＸＩＶ線に沿う概略断面図である。図１５は図１２のＸＶ−ＸＶ線に沿う概略断面図である。図１１〜図１５を参照して、本発明の実施の形態３の携帯電話機の構成を説明する。
【００３８】
図１１〜図１５を参照して、実施の形態３の携帯電話機１は基本的には図１〜５に示した実施の形態１の携帯電話機１と同様の構成を有している。しかし、実施の形態３の携帯電話機１は、操作部２に配置された周囲キーとしての周囲テンキー２２の表面が中央キーとしての５キーに向けて厚みが少なくなるように表面に傾斜２２Ａを有している点で実施の形態１の携帯電話機１とは異なっている。ここで厚みとは携帯電話機１の筐体のうち操作部２の形成されている面とは反対側の面から周囲テンキー２２の上面までの距離をいう。
【００３９】
携帯電話機１がこのような構成を有することにより、第１の案内溝２６および第２の案内溝２７と前述の傾斜２２Ａとの組み合わせに基づいて、５キー２１の位置の把握および指に触れた周囲テンキー２２がどのキーであるかの把握が一層容易となる。その結果、実施の形態１の場合と同等に操作することにより、ブラインドタッチがさらに容易となる。
【００４０】
なお、前述の傾斜２２Ａは図１１および図１２に示すように、周囲テンキー２２だけでなく、周囲テンキー２２から見て５キー２１と反対側に隣接するキーに至るように設けられてもよい。これにより、５キー２１および周囲テンキー２２以外のキーに指が触れている場合でも、５キーの位置の把握および指に触れたキーがどのキーであるかの把握が一層容易となる。
【００４１】
また、前述の傾斜２２Ａは操作者が傾斜を指の感触により認識できるものであればよく、たとえば同様の効果を得られるものとして、キーが配置される携帯電話機１の筐体自体が傾斜していてもよい。また、傾斜２２Ａは滑らかなものでもよいし、階段状であってもよい。
【００４２】
また、実施の形態１〜３においては、携帯情報端末の一例として携帯電話機について説明したが、本発明の携帯情報端末はこれに限定されるものではなく、ＰＤＡ（personal data assistant）、ノート型パーソナルコンピュータ、通信可能なデジタルカメラなどであってもよい。
【００４３】
また、実施の形態１〜３においては、案内部の一例として案内溝を設ける場合について説明したが、本発明の案内部は操作者が指の感覚により認識できるものであればよく、たとえば突起であってもよいし、キーの表面粗さを変化させた部分であってもよいし、材質を変更した部分であってもよい。
【００４４】
今回開示された実施の形態はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【００４５】
本発明の携帯情報端末は、複数のキーを含む操作部を有する携帯情報端末に特に有利に適用することができる。
【図面の簡単な説明】
【００４６】
【図１】実施の形態１の携帯情報端末としての携帯電話機を示す概略斜視図である。
【図２】実施の形態１の携帯電話機を示す概略平面図（正面図）である。
【図３】実施の形態１の携帯電話機を示す概略平面図（側面図）である。
【図４】図２のＩＶ−ＩＶ線に沿う概略断面図である。
【図５】図２のＶ−Ｖ線に沿う概略断面図である。
【図６】５キーの上下左右に位置する周囲テンキーのうち数字の２、４、６、８を入力するためのキーの構成を示す図である。
【図７】実施の形態２の携帯情報端末としての携帯電話機を示す概略斜視図である。
【図８】実施の形態２の携帯電話機を示す概略平面図（正面図）である。
【図９】実施の形態２の携帯電話機の使用状態の一例を示す図である。
【図１０】実施の形態２の携帯電話機の使用状態の他の一例を示す図である。
【図１１】実施の形態３の携帯情報端末としての携帯電話機を示す概略斜視図である。
【図１２】実施の形態３の携帯電話機を示す概略平面図（正面図）である。
【図１３】実施の形態３の携帯電話機を示す概略平面図（側面図）である。
【図１４】図１２のＸＩＶ−ＸＩＶ線に沿う概略断面図である。
【図１５】図１２のＸＶ−ＸＶ線に沿う概略断面図である。
【図１６】従来の携帯電話機の構成の一例を示す概略平面図である。
【図１７】従来の携帯電話機の構成の一例を示す概略平面図である。
【図１８】図１７のＸＶＩＩＩ−ＸＶＩＩＩ線に沿う概略断面図である。
【図１９】従来の携帯電話機の構成の一例を示す概略斜視図である。
【図２０】従来の携帯電話機の操作部の一例を示す概略平面図である。
【図２１】従来の携帯電話機の操作部の一例を示す概略平面図である。
【符号の説明】
【００４７】
１  携帯電話機、２  操作部、２Ａ  テンキー部、２Ｂ  ファンクションキー部、３  表示部、４  シフトスイッチ、２１  中央キー（５キー）、２２  周囲キー（周囲テンキー）、２２Ａ  傾斜、２３  十字キー（十字テンキー）、２４  シフト表示、２６  第１の案内溝、２７  第２の案内溝。
【図１】
2006245898.tif 000003
【図２】
2006245898.tif 000004
【図３】
2006245898.tif 000005
【図４】
2006245898.tif 000006
【図５】
2006245898.tif 000007
【図６】
2006245898.tif 000008
【図７】
2006245898.tif 000009
【図８】
2006245898.tif 000010
【図９】
2006245898.tif 000011
【図１０】
2006245898.tif 000012
【図１１】
2006245898.tif 000013
【図１２】
2006245898.tif 000014
【図１３】
2006245898.tif 000015
【図１４】
2006245898.tif 000016
【図１５】
2006245898.tif 000017
【図１６】
2006245898.tif 000018
【図１７】
2006245898.tif 000019
【図１８】
2006245898.tif 000020
【図１９】
2006245898.tif 000021
【図２０】
2006245898.tif 000022
【図２１】
2006245898.tif 000023